(57)【要約】【課題】  別部材を要さず、カメラユニットを回動自在に軸支するカメラユニット装着板金を、取付作業の際、所定の押圧力で仮固定できる監視カメラを提供することを目的とする。【解決手段】  カメラユニット７を搭載したカメラユニット装着金６に穿設された螺子挿通孔６ｃ周辺下部を、ベース２の支持ボス１１上面に形成された複数の突起１１ｄに接触させ、適宜な押圧力で前記カメラユニット装着板６を前記ベース２に仮固定することにより、仮に、衝撃力あるいは振動が監視カメラに加えられたとしても、前記カメラユニット７の水平面での所定角度を保持する。【選択図】図４
2008085895.tif 000002
【特許請求の範囲】
【請求項１】
天井面あるいは壁面等に取りつけられるベースと、同ベースに固定され、カメラユニットを装着したカメラユニット装着板とからなり、前記ベース中央部に、基台と、同基台から突設され、内壁面に雌螺子部を螺刻した軸部からなる支持ボスを立設し、前記カメラユニット装着板中央に穿設された挿通孔を前記軸部に挿通させるとともに、固定螺子を前記
雌螺子部に螺合させることにより前記カメラユニット装着板を前記ベース上に保持してなる監視カメラにおいて、
前記基台の上面に、複数の突起あるいは円筒状のリブを立設してなることを特徴とする監視カメラ。
【発明の詳細な説明】
【技術分野】
【０００１】
本発明は、監視カメラに係わり、より詳細には、カバー内に備えられたカメラユニットの回動を仮固定する際、所定位置に確実に保持できるとともに、部品点数を低減させた構成に関する。
【背景技術】
【０００２】
従来の監視カメラの構造も、本願での構造とほぼ同等なので、本願での図面を用いて説明する。監視カメラは天井面等に取りつけられて使用されるようになっており、図１（Ｂ）の分解斜視図で示すように、ベース２と、同ベース２に螺着され、カメラユニットを装着したカメラユニット装着板６と、透明カバー４と、シャドーカバー５と、リング３とにより構成されている。
【０００３】
前記ベース２には、図６で示すように、カメラユニットを回動自在に軸支するカメラユニット装着板６が螺着されるようになっている。前記ベース２の中央部には円筒状に形成された支持ボス２０ａが立設されており、また、同支持ボス２ｂの中央部には、螺子孔を穿設し、前記カメラユニット装着板６の中央部に穿設された螺子挿通孔に遊嵌する円筒状の支軸２０ｂが設けられている。
【０００４】
前記カメラユニット装着板６は、円形状に形成され、中央部には螺子挿通孔が穿設されている。同螺子挿通孔に支持螺子１２を挿通させ、また、ワッシャ２１を介して前記支軸２０ｂの螺子孔に螺合させることにより、前記カメラユニット装着板６は前記ベース２に仮固定されるようになっている。
【０００５】
しかしながら、取付作業中に衝撃力あるいは振動が監視カメラ１に加えられた際、前記カメラユニット装着板６が水平面で回動してしまい、角度の再調整が必要とされる場合があり、また、ワッシャ２１等の別部材を要しない構造が求められていた。また、ワッシャ２１を使用すると、前記支持螺子１２の締め具合により、前記カメラユニット装着板６の水平面での角度調整が難しくなる場合があり、改善が求められていた。
【発明の開示】
【発明が解決しようとする課題】
【０００６】
本発明は、上記問題点に鑑み、取付作業の際、カメラユニットを回動自在に軸支するカメラユニット装着板を、適度な保持力でベース状に保持することができ、作業性を高めた監視カメラを提供することを目的とする。
【課題を解決するための手段】
【０００７】
本発明は、上記課題を解決するため、天井面あるいは壁面等に取りつけられるベースと、同ベースに固定され、カメラユニットを装着したカメラユニット装着板とからなり、前記ベース中央部に、基台と、同基台から突設され、内壁面に雌螺子部を螺刻した軸部からなる支持ボスを立設し、前記カメラユニット装着板中央に穿設された挿通孔を前記軸部に挿通させるとともに、固定螺子を前記雌螺子部に螺合させることにより前記カメラユニット装着板を前記ベース上に保持してなる監視カメラにおいて、  前記基台の上面に、複数の突起あるいは円筒状のリブを立設してなる構成となっている。
【発明の効果】
【０００８】
本発明によると、カメラユニットを搭載したカメラユニット装着板の螺子挿通孔周辺下部を、ベースの支持ボス上面に形成された複数の前記突起に接触させ、前記カメラユニット装着板金を前記ベースに仮固定することにより、仮に、衝撃力あるいは振動が監視カメラに加えられたとしても、前記カメラユニットの水平面での所定角度を保持することができるようになっている。また、適度な保持力で保持できることにより、角度調整の作業が容易に行えるようになっている。
【発明を実施するための最良の形態】
【０００９】
以下、本発明の実施の形態を、添付図面に基づいた実施例として詳細に説明する。
【実施例１】
【００１０】
図１（Ａ）は本発明による監視カメラの外観斜視図であり、図１（Ｂ）はその分解斜視図である。図２はベースとカメラユニットとを示す要部斜視図である。図３（Ａ）はカメラユニットの外観斜視図であり、図３（Ｂ）はその分解斜視図である。図４（Ａ）はベースの組立を示す斜視図であり、図４（Ｂ）は支持ボスを示す拡大図であり、図４（Ｃ）は支持ボスに設けられた突起を示す断面図である。また、図５はカメラユニット装着板のベースへの装着を示す断面図である。
【００１１】
本発明による監視カメラ１は天井面あるいは壁面等に取りつけられて使用されるようになっており、図１（Ａ）の外観斜視図で示すように、天井面あるいは壁面に螺子により固定される略円筒状に形成されたベース２と、同ベース２に装着される半球状に形成された透明カバー４と、同透明カバー４を前記ベース２に固定する円環状に形成されたリング３とで外郭筐体を構成しており、前記透明カバー４には、円弧状のカメラ窓５ａが形成されている。
【００１２】
前記監視カメラ１の各部は、図１（Ｂ）の分解斜視図で示すように構成されている。前記ベース２は樹脂材からなり、その中央部には、後述するカメラユニット７を装着した、板金からなるカメラユニット装着板６が螺着されるようになっている。また、周囲には、外周面に雄螺子部２ｂを形成した円筒状のリブ２ａが立設されている。前記透明カバー４は、透明性を有する樹脂材により半球状に形成され、その開放部周縁には外方に折曲されたフランジが設けられており、同フランジを前記リング３により掛止されることにより前記ベース２に固定されるようになっている。
【００１３】
前記透明カバー４の内壁面には、同内壁面に適合するように外周面を形成し、長円状のカメラ窓５ａを、開放端部近傍から下部中央付近まで穿設した、黒色系の不透明樹脂材からなるシャドーカバー５が装着されるようになっている。前記リング３は、外周面に段差状の手掛け部を形成し、内周面に、前記ベース２の雄螺子部２ｂに対応した雌螺子部を形成しており、同雌螺子部を前記雄螺子部２ｂに螺合させることにより、前記シャドーカバー５を内挿した前記透明カバー４を掛止しながら、前記ベース２に固定されるようになっている。
【００１４】
前記ベース２には、図２で示すように、カメラユニット７を回動自在に軸支する前記カメラユニット装着板６が、上記したように螺着されるようになっており、前記カメラユニット７は、複数枚のレンズを内蔵し、先端部が前記カメラ窓５ａに臨むように配置される円筒状のレンズ部７ａと、同レンズ部７ａの基部を支持するとともに、多数の電子部品を搭載したＣＣＤ基板からなる基台部７ｂとから構成されている。前記カメラユニット装着板６には、先端部に軸受孔６ｂを穿設した支持板６ａが相対向するように両側に垂下されており、前記カメラユニット７の基台部７ｂの両側から突設した軸が前記支持板６ａの軸受孔６ｂに軸支されることにより、前記カメラユニット７は上下方向に回動自在に支持されるようになっている
前記カメラユニット７は、図３（Ａ）の外観斜視図で示すように構成され、図３（Ｂ）の分解斜視図で示すように、上記したＣＣＤ基板からなる基台部７ｂと、同基台部７ｂに螺子１１により固定されるレンズホルダ８と、同レンズホルダ８に嵌着される前記レンズ部７ａとからなっている。前記レンズホルダ８内には、ＣＣＤラバー９とＣＣＤフィルタ１０とが収納されるようになっており、両側に設けた螺子孔８ａに、前記螺子１１を螺合させることにより前記レンズホルダ８は前記基台部７ｂに固着されるようになっている。
【００１５】
前記カメラユニット装着板６は、図４（Ａ）で示すように、円形状に形成され、その前後に円弧状の切欠き孔６ｄを相対向するように形成しており、また、これら切欠き孔６ｄの間に前記軸受孔６ｂを穿設した一対の支持板６ａを切起こしにより形成している。また、中央部には軸受孔６ｃが穿設されている。また、前記ベース２の前記雄螺子２ｂの内側には、前記カメラユニット装着板６の周縁を摺動自在に支持する円筒状の支持リブ２ｃが立設され、同リブ２ｃの一側には、前記カメラユニット装着板６の切欠き孔６ｄに対応するように、螺子孔２ｄが穿設され、その対面側には、前記切欠き孔６ｄに挿通し、前記カメラユニット装着板６が水平面で回動する際、ガイドとなるガイドピン２ｅが突設されている。また、前記支持リブ２ｃ内には、複数のリード線を接続する端子台が形成されている。
【００１６】
前記ベース２の中央部には、前記カメラユニット装着板６を回動自在に支持するための円筒状に形成された支持ボス１１が立設されており、図４（Ｂ）の拡大図で示すように、同支持ボス１１は、基台１１ａと、同基台１１ａの中央部から突設され、内壁面に雌螺子部１１ｃを螺刻した円筒状の軸部１１ｂとからなっている。また、前記基台１１ａの上面には、図４（Ｃ）の断面図で示すように、半円状に形成された突起１１ｄが円周上に複数個、突設されている。
【００１７】
前記カメラユニット装着板６の螺子挿通孔６ｃを前記支持ボス１１の２ｂの軸部１１ｂに挿通させるとともに、支持螺子１２を、図４（Ａ）の点線で示すように、前記螺子挿通孔６ｃに挿通させ、前記雌螺子部１１ｃに螺合させることにより、前記カメラユニット装着板６は前記ベース２に回動自在に装着されるようになっている。また、前記切欠き孔６ｄに固定螺子１３を挿通させ、前記螺子孔２ｄに螺合させることにより、カメラユニット装着板６の回動は規制されるようになっている。尚、図４（Ｄ）に示すように、前記突起１１ｄに替わり、円筒状のリブ１４ｃを立設してもよい。
【００１８】
前記カメラユニット装着板６は、図５の断面図で示すように、前記ベース２の支持ボス１１に固定されるようになっている。前記螺子挿通孔６ｃに前記軸部１１ｂが挿通し、前記雌螺子部１１ｃに、支持螺子１２が螺合すると、前記カメラユニット装着板６の螺子挿通孔６ｃ周辺下部は、複数の前記突起１１ｄに接触し、これにより、前記カメラユニット装着板６は前記支持ボス２ｂ上に、適宜な押圧力で仮固定することができるようになっている。
【００１９】
前記カメラユニット７を搭載した前記カメラユニット装着板６は、監視カメラ１を天井面に設置する際、前記カメラユニット７の水平面内での角度を仮固定し、これを保持する必要があるが、前記螺子挿通孔６ｃ周辺下部を、複数の前記突起１１ｄに接触させ、適宜な押圧力で前記カメラユニット装着板６を前記ベース２に仮固定することにより、仮に、衝撃力あるいは振動が監視カメラ１に加えられたとしても、ワッシャ等の別部材を用いず、適宜、前記カメラユニット７の水平面内での角度を保持することができるようになっている。また、適宜な押圧力で仮固定することにより、角度調整作業も容易に行うことができるようになっている。
【００２０】
前記カメラユニット７の水平面内での角度が決定したら、円弧状の切欠き孔６ｄに固定螺子１３を挿通させ、前記螺子孔２ｄに螺合させることにより、前記カメラユニット装着板６の水平面内での回動が規制され、前記カメラユニット装着板６は堅固に固定されるようになっている。
【図面の簡単な説明】
【００２１】
【図１】（Ａ）は本発明による監視カメラの外観斜視図である。
【００２２】
（Ｂ）はその分解斜視図である。
【図２】ベースとカメラユニットとを示す要部斜視図である。
【図３】（Ａ）はカメラユニットの外観斜視図である。
【００２３】
（Ｂ）はその分解斜視図である。
【図４】（Ａ）はベースの組立を示す斜視図である。
【００２４】
（Ｂ）は支持ボスを示す拡大図である。
【００２５】
（Ｃ）は支持ボスに設けられた突起を示す断面図である。
【図５】カメラユニット装着板金の装着を示す断面図である。
【図６】従来の監視カメラを示す要部斜視図である。
【符号の説明】
【００２６】
１  監視カメラ
２  ベース
２ａ  リブ
２ｂ  雌螺子部
２ｂ  支持ボス
２ｃ  支持リブ
２ｄ  螺子孔
２ｅ  ガイドピン
３  リング
４  透明カバー
５  シャドーカバー
５ａ  カメラ窓
６  カメラユニット装着板金
６ａ  支持板
６ｂ  軸受孔
６ｃ  螺子挿通孔
６ｄ  切欠き孔
７  カメラユニット
７ａ  レンズ部
７ｂ  基台部
８  レンズホルダ
８ａ  螺子孔
９  ＣＣＤラバー
１０  ＣＣＤフィルタ
１１  支持ボス
１１ａ  基台
１１ｂ  軸部
１１ｃ  雌螺子部
１１ｄ  突起
１２  支持螺子
１３  固定螺子
１４ｃ  リブ
【図１】
2008085895.tif 000003
【図２】
2008085895.tif 000004
【図３】
2008085895.tif 000005
【図４】
2008085895.tif 000006
【図５】
2008085895.tif 000007
【図６】
2008085895.tif 000008